(57)【要約】【課題】従来から特に希求されてきた夜間などの暗所において高い視認性を備えた車止めブロックは未だ提供されず、そのような車止めブロックの開発・提供が課題となっていた。また、従来の車止めブロックは、車を止める機能面だけを追及して、設置する場所の周辺環境例えば家屋の外構デザインその他に融合させる配慮及び美的デザイン性等に欠ける課題があった。【解決手段】車止めブロック１に凹部２を備え、その空間３内に太陽光蓄電ＬＥＤ照明５、タイルブロック１１、箱１６、植栽用のポット１４等を着脱交換自在に嵌置できるように備え、若しくは、空間内に玉砂利１５等を交換自在に充填できるように備えて、車を止める機能面だけでなく、設置する場所の周辺環境融合する美的デザイン性に優れた車止めブロックを提供して課題を解決した。【選択図】図２
2011157801.tif 000002
【特許請求の範囲】
【請求項１】
横長６面体状若しくは横長多面体状のコンクリートブロックの表面側に設定平面形状で設定深さの空間を備えた凹部を形成したことを特徴とする、
車止めブロック。
【請求項２】
前記凹部の開口部の形状は方形、長方形、菱形、円形、楕円形、変曲線形に限定なく設定し、空間の深さは目的とする空間容積に応じて設定したことを特徴とする、
請求項１の車止めブロック。
【請求項３】
横長６面体状若しくは横長多面体状のコンクリートブロックの表面側の左方部及び右方部に前記平面形状で設定深さの空間を備えた凹部を形成し、該凹部に太陽光蓄電式ＬＥＤ照明を設置したことを特徴とする、
請求項１の車止めブロック。
【請求項４】
前記凹部の空間内に、前記太陽光蓄電式ＬＥＤ照明の太陽光蓄電装置、光感知器、タイマー、その他の関連機材を挿置し、開口部にＬＥＤ照明プレートを備えたことを特徴とする、
請求項１の車止めブロック。
【請求項５】
前記凹部の空間内に、開口部に位置する面に種々にデザインしたタイルを貼着して設けたタイルブロック、若しくは、開口部に位置する平面に蓋板を開閉自在に取付けた箱、若しくは、植栽用のポットを着脱交換自在に嵌置するように備え、若しくは、空間内に玉砂利を交換自在に充填するように備えたことを特徴とする、
請求項１の車止めブロック。
【請求項６】
前記凹部の空間内に嵌置若しくは充填するものは、前記太陽光蓄電式ＬＥＤ照明、タイルブロック、箱、玉砂利、空間内に嵌置若しくは充填可能なもの、であることを特徴とする、
請求項１の車止めブロック。
【発明の詳細な説明】
【技術分野】
【０００１】本発明は、駐車場や車庫に設置し、自動車が駐車するときに所定の停車位置でタイヤを当接させて車を止めるのに用いる車止めブロックに係り、夜間、暗所等における視認性を高め、多機能性を具備し、設置する周辺環境にマッチした美的外観を備えたことを特徴とする、車止めブロックを提供する。
【背景技術】
【０００２】従来、駐車場や車庫等に設置し、自動車が駐車するときに所定の停車位置でタイヤを当接させて車を止めるのに用いる車止めブロック（パーキングブロック）として、極めて多種類の物が製造・販売・使用されている。
また、従来から、本発明のようにコンクリート製のものが、そのコスト、デザイン自在性、用途に合致した強度と重量など、車止めブロックに適合していることから、その主流を成している。【０００３】ところが、前記従来の車止めブロック（コンクリート製その他）において、例えば、ライトで車止めブロックの位置が判るように反射板を貼付けた物や、タイムパーキング等用の広告プレート等を貼付けた物などは提供されているが、従来から特に希求されてきた夜間などの暗所において高い視認性を備えた車止めブロックは未だ提供されておらず、そのような車止めブロックの開発・提供が大きな課題となっていた。【０００４】また、従来の車止めブロックは、車を止める機能面だけを追及して、設置する場所の周辺環境例えば家屋の外構デザインその他に融合させる配慮及び美的デザイン性等に欠ける課題があった。
【先行技術文献】
【特許文献】
【０００５】
【特許文献１】特開２００９−１６１９０８号公報
【特許文献２】特開２００６−２００３３６号公報
【発明の概要】
【発明が解決しようとする課題】
【０００６】本発明は、車止めブロックに凹部を備え、その空間内に太陽光蓄電ＬＥＤ照明を着脱に設置して、夜間、暗所等における車止めブロックの視認性を高めた車止めブロックを提供して従来の課題を解決しようとするものであり、【０００７】また、前記凹部の空間内に前記太陽光蓄電ＬＥＤ照明の他、タイルブロック、箱、植栽用のポット等を嵌置できるように備え、若しくは、同空間内に玉砂利等を充填できるように備えて、車を止める機能面だけでなく、設置する場所の周辺環境例えば家屋の外構デザインその他に融合する美的デザイン性に優れた車止めブロックを提供して従来の課題を解決しようとするものである。
【課題を解決するための手段】
【０００８】請求項１の発明は、横長６面体状若しくは横長多面体状のコンクリートブロックの表面側に設定平面形状で設定深さの空間を備えた凹部を形成したことを特徴とする、車止めブロックによって課題を解決したものである。【０００９】請求項２の発明は、前記凹部の開口部の形状は方形、長方形、菱形、円形、楕円形、変曲線形に限定なく設定し、空間の深さは目的とする空間容積に応じて設定したことを特徴とする、請求項１の車止めブロックによって課題を解決したものである。【００１０】請求項３の発明は、横長６面体状若しくは横長多面体状のコンクリートブロックの表面側の左方部及び右方部に前記平面形状で設定深さの空間を備えた凹部を形成し、該凹部に太陽光蓄電式ＬＥＤ照明を設置したことを特徴とする、請求項１の車止めブロックによって課題を解決したものである。【００１１】請求項４の発明は、前記凹部の空間内に、前記太陽光蓄電式ＬＥＤ照明の太陽光蓄電装置、光感知器、タイマー、その他の関連機材を挿置し、開口部にＬＥＤ照明プレートを備えたことを特徴とする、請求項１の車止めブロックによって課題を解決したものである。【００１２】請求項５の発明は、前記凹部の空間内に、開口部に位置する面に種々にデザインしたタイルを貼着して設けたタイルブロック、若しくは、開口部に位置する平面に蓋板を開閉自在に取付けた箱、若しくは、植栽用のポットを着脱交換自在に嵌置するように備え、若しくは、空間内に玉砂利を交換自在に充填するように備えたことを特徴とする、請求項１の車止めブロックによって課題を解決したものである。【００１３】請求項６の発明は、前記凹部の空間内に嵌置若しくは充填するものは、前記太陽光蓄電式ＬＥＤ照明、タイルブロック、箱、玉砂利、空間内に嵌置若しくは充填可能なもの、であることを特徴とする、請求項１の車止めブロックによって課題を解決したものである。
【発明の効果】
【００１４】本発明は、車止めブロックに凹部を備え、その空間内に太陽光蓄電ＬＥＤ照明を着脱自在に設置したので、特に、夜間時やガレージ内等の暗所においても、ＬＥＤ照明によって車止めブロックを明確に視認することができ、容易、安全かつ正確な駐車ができる優れた効果がある。【００１５】また、前記凹部空間内に嵌置するものは前記太陽光蓄電ＬＥＤ照明に限定されず自由であるので、例えば、種々デザインした化粧タイル、反射タイル等を貼付けたタイル、物入れとして便利に利用できるステンレス製等の箱、草花等を植栽して自然環境を創出する植栽用のポット等を着脱交換自在に嵌置し、また、空間内に玉砂利、ビー球等を交換自在に充填するなどして、コンクリート製ブロックの無機質な外観を美的なものに変えることができ、よって、車を止める機能面だけでなく、設置する場所の周辺環境例えば家屋の外構デザインその他に融合する美的デザイン性に優れた車止めブロックを提供し得る優れた特徴がある。
【図面の簡単な説明】
【００１６】
【図１】図１は、凹部空間内に太陽光蓄電ＬＥＤ照明を嵌置した実施例車止めブロックの斜視図である。（実施例１）
【図２】図２は、図１の車止めブロックを分解した斜視図である。（実施例１）
【図３】図３は、凹部空間内に嵌置するものの実施例の斜視図で、（イ）はタイルブロック、（実施例２）、（ロ）はステンレス製の箱、（実施例３）、（ハ）は植栽用のポット、（実施例４）、である。
【図４】図４は、凹部空間内に玉砂利を充填した実施例車止めブロックの斜視図である。（実施例５）
【発明を実施するための形態】
【００１７】横長６面体状若しくは横長多面体状のコンクリートブロックの表面側に設定平面形状で設定深さの空間を備えた凹部を形成し、前記凹部の空間内に太陽光蓄電式ＬＥＤ照明、タイルブロック、箱、玉砂利等の空間内に嵌置若しくは充填可能なものを嵌置若しくは充填することによって、本発明車止めブロックを実現した。
【実施例１】
【００１８】図１は凹部空間内に太陽光蓄電ＬＥＤ照明を嵌置した車止めブロック（実施例１）の斜視図であり、図２は図１の車止めブロックを分解した斜視図である。【００１９】符号、１は車止めブロック、２は空間、３は凹部、４は開口部、５は太陽光蓄電式ＬＥＤ照明、６は筐体、７はＬＥＤ照明プレート、８はアンカーボルト、９は表示プレートを示す。【００２０】本発明車止めブロック１は、横長６面体状（図示例）若しくは横長多面体状のコンクリートブロックの表面側に設定平面形状で設定深さの空間２を備えた凹部３を形成したものである。【００２１】前記凹部３の開口部４の形状は方形（図示例）、長方形、菱形、円形、楕円形、変曲線形、その他任意であり、空間２の深さは目的とする空間容積例えば太陽光蓄電式ＬＥＤ照明５を嵌置する空間容積に応じて設定する。【００２２】アンカーボルト８は必要に応じて車止めブロック１を設置面に固定するであり、表示プレート９は文字、絵柄等を表したものであって広告、識別等の必要に応じて取付けるものである【００２３】図１、図２に示す実施例１は、横長６面体状のコンクリートブロックの表面側の左方部及び右方部に開口部４が方形で設定深さの空間２を備えた凹部３を形成し、該凹部３に太陽光蓄電式ＬＥＤ照明５を着脱交換自在に設置したことを特徴とする車止めブロックであり、【００２４】前記凹部３の空間２内に、前記太陽光蓄電式ＬＥＤ照明５の太陽光蓄電装置、光感知器、タイマー、その他の関連機材を内装した筐体６を挿置し、開口部４にＬＥＤ照明プレート７を位置したものであって、夜間時やガレージ内等の暗所においても、ＬＥＤ照明によって車止めブロック１を明確に視認することができ、容易、安全かつ正確な駐車ができるように備えたものである。
【実施例２〜４】
【００２５】図３は、前記凹部３の空間２内に着脱交換自在に嵌置するものの実施例２〜４であり、
（イ）は、開口部４に位置する面に種々にデザインした化粧タイル、反射タイル等の任意のタイル１０を貼着して設けたタイルブロック１１（実施例２）であって、車止めブロック１の美的外観を高めるように備えたものであり、
（ロ）は、ステンレス製等の箱１６（実施例３）で、物入れとして便利に利用できるものあって、開口部４に位置する平面に蓋板１２を開閉自在に取付け、また、錠前１３を取付けたものであり、
（ハ）は、植栽用のポット１４（実施例４）であって、山野草、玉竜等を植栽して自然環境を創出し周辺環境との融和を企図したものである。
なお、空間２内に着脱交換自在に嵌置するものは、凹部空間内に嵌置可能なものであれば上記実施例１〜４に限らず任意である。
【実施例５】
【００２６】図４は、空間２内に玉砂利１５（実施例５）、ビー球等を交換自在に充填したものであって、車止めブロック１が持つ硬い感じを和ませるものである。
なお、空間２内に交換自在に充填するものは、充填可能なものであれば実施例５に限らず任意である。【００２７】上記のように、本発明は、種々のものを凹部空間内に交換自在に嵌置もしくは充填することによって、コンクリート製ブロックの無機質な外観を美的なものに変え、車を止める機能面だけでなく、設置する場所の周辺環境例えば家屋の外構デザインその他に融合する美的デザイン性を具備した車止めブロックを提供するものである。
【産業上の利用可能性】
【００２８】本発明は、車を止める機能面だけでなく、設置する場所の周辺環境に融合する美的デザイン性に優れた車止めブロックとして、極めて広範囲な利用可能性を有するものである。
【符号の説明】
【００２９】１    実施例車止めブロック
２    空間
３    凹部
４    開口部
５    太陽光蓄電ＬＥＤ照明
６    筐体
７    ＬＥＤ照明プレート
８    アンカーボルト
９    表示プレート
１０  タイル
１１  タイルブロック
１２  蓋板
１３  錠前
１４  植栽用のポット
１５  玉砂利
１６  箱
【図１】
2011157801.tif 000003
【図２】
2011157801.tif 000004
【図３】
2011157801.tif 000005
【図４】
2011157801.tif 000006